(57)【要約】      （修正有）【課題】一旦、支持体にフレーム本体を固定すれば、後は、表面板と、対応する背面板と左右枠板を交換するだけでよい、施工性、経済性に優れる歩行者案内標識を提供する。【解決手段】歩行者案内標識は、支持体２に固定されるフレーム本体と、フレーム本体の前面に着脱自在に装着される表面板と、フレーム本体の背面に着脱自在に装着される背面板と、フレーム本体の左側に着脱自在に固定される左枠板と、フレーム本体の右側に着脱自在に固定される右枠板とよりなり、表面板と背面板と左右枠板とにより、フレーム本体を内部に含む箱状になるよう形成され、表面板と背面板と左右枠板とを取り外して、他の表面板と背面板と左右枠板とに交換可能である。【選択図】図５
0003221591.tif 000002
【実用新案登録請求の範囲】
【請求項１】
支持体に固定されるフレーム本体と、
該フレーム本体の前面に着脱自在に装着される表面板と、
上記フレーム本体の背面に着脱自在に装着される背面板と、
上記フレーム本体の左側に着脱自在に固定される左枠板と、
上記フレーム本体の右側に着脱自在に固定される右枠板とよりなり、
上記表面板と上記背面板と上記左枠板と上記右枠板とにより、上記フレーム本体を内部に含む箱状になるよう形成され、
上記表面板と上記背面板と上記左枠板と上記右枠板とが取り外された、上記支持体に固定されたフレーム本体は、他の表面板と背面板と左枠板と右枠板とを取り付け可能であることを特徴とする歩行者案内標識。
【請求項２】
上記フレーム本体は、上記表面板を左右方向においてスライド自在に装着可能な前側フレーム部と、上記背面板を左右方向においてスライド自在に装着可能な後側フレーム部とよりなり、
上記左枠板は、上記表面板及び背面板の左側側面に当接して上記フレーム本体に固定され、上記右枠板は、上記表面板と背面板の右側側面に当接して上記フレーム本体に固定され、上記左枠板と上記右側板とにより、上記表面板と背面板との左右方向のスライドが阻止されることを特徴とする請求項１に記載の歩行者案内標識。
【請求項３】
上記前側フレーム部と、上記後側フレームとは、着脱自在に固定され、
上記支持体は、上記前側フレーム部と上記後側フレーム部とにより挟持されて、上記フレーム本体に固定されることを特徴とする請求項２に記載の歩行者案内標識。
【考案の詳細な説明】
【技術分野】
【０００１】
本発明は、歩行者案内標識、特に、駅名や著名地点名などの案内内容を表示した歩行者案内標識に関するものである。
【背景技術】
【０００２】
図１７は、従来のＢＯＸ型の歩行者案内標識ａを示し、該歩行者案内標識ａは、例えば、案内内容が表示された表面板ｂと、該表面板ｂに所望の距離離間して対向させた、該表面板ｂと同形状の背面板ｃと、上記表面板ｂと背面板ｃとの左右側部をそれぞれ塞ぐ左右の側面板ｄ、ｅとによりなるＢＯＸ状（箱状）に形成される。
【０００３】
そして、上記歩行者案内標識ａは、例えば、道路等に設置された上方に伸びる、例えば、左右２本の支持柱などの支持体ｆに、該支持体ｆが上記案内標識ａの表面板ｂと背面板ｃとの間を貫通した状態で、取付具により固定されるようになる。
【０００４】
歩行者案内標識としては、例えば、特許文献１がある。
【先行技術文献】
【特許文献】
【０００５】
【特許文献１】実開平６−３３１８４号公開公報
【考案の概要】
【考案が解決しようとする課題】
【０００６】
しかしながら、上記従来の歩行者案内標識ａは、標識製作工場で一体に製作されて、上記支持体ｆに固定されているため、案内標識の内容に変更があった場合には、歩行者案内標識ａ全体を交換する必要があり、特に、例えば、表示面の文字数などが変更になった場合でも、歩行者案内標識ａ全体を交換する必要があり、経済性、施工性に問題があった。
【０００７】
また、図１８（ａ）に示すように、例えば、支持体ｆに、２つの案内標識ａ１、ａ２が上下に固定されている場合もある。この案内標識ａ１、ａ２の支持体ｆの取り付けは、まず、上記支持体ｆの上端から、上記案内標識ａ２の上記表面板ｂと背面板ｃとの間の下部開口部を挿入して、上記案内標識ａ２を、所望の位置まで下方にスライドさせて、上記支持体ｆに取付具により固定する。次に、同様に、上記支持体ｆに、上記案内標識ａ１を挿入して、上記案内標識ａ１を、所望の位置まで下方にスライドさせて、上記支持体ｆに取付具により固定していた。
【０００８】
従って、例えば、下段の歩行者案内標識ａ２のみ交換する必要がある場合、図１８（ｂ）に示すように、まず、交換が必要でない歩行者案内標識ａ１を、上方にスライドさせて、上記支持体ｆから取り外し、それから、図１８（ｃ）に示すように、上記案内標識ａ２を上方にスライドさせて、上記支持体ｆから取り取り外し、そして、図１８（ｄ）に示すように、新しい案内標識ａ３を、上記支持体ｆの上端から挿入して、所望の下方までスライドさせて、該支持体ｆに取付具により固定し、それから、図１８（ｅ）に示すように、上記取り外した案内標識ａ１を、再度、上記支持体ｆの上端から挿入して、所望の下方までスライドさせて、該支持体ｆに取付具により固定する必要があり、経済性、施工性に問題があった。
【０００９】
本考案は、上記の欠点を除くようにしたものである。
【課題を解決するための手段】
【００１０】
本考案の歩行者案内標識は、支持体に固定されるフレーム本体と、該フレーム本体の前面に着脱自在に装着される表面板と、上記フレーム本体の背面に着脱自在に装着される背面板と、上記フレーム本体の左側に着脱自在に固定される左枠板と、上記フレーム本体の右側に着脱自在に固定される右枠板とよりなり、上記表面板と上記背面板と上記左枠板と上記右枠板とにより、上記フレーム本体を内部に含む箱状になるよう形成され、上記表面板と上記背面板と上記左枠板と上記右枠板とが取り外された、上記支持体に固定されたフレーム本体は、他の表面板と背面板と左枠板と右枠板とを取り付け可能であることを特徴とする。
【００１１】
また、上記フレーム本体は、上記表面板を左右方向においてスライド自在に装着可能な前側フレーム部と、上記背面板を左右方向においてスライド自在に装着可能な後側フレーム部とよりなり、上記左枠板は、上記表面板及び背面板の左側側面に当接して上記フレーム本体に固定され、上記右枠板は、上記表面板と背面板の右側側面に当接して上記フレーム本体に固定され、上記左枠板と上記右側板とにより、上記表面板と背面板との左右方向のスライドが阻止されることを特徴とする。
【００１２】
また、上記前側フレーム部と、上記後側フレームとは、着脱自在に固定され、上記支持体は、上記前側フレーム部と上記後側フレーム部とにより挟持されて、上記フレーム本体に固定されることを特徴とする。
【考案の効果】
【００１３】
本考案によれば、一旦、支持体にフレーム本体を固定すれば、後は、表面板と、これに対応する背面板と左枠板と右枠板だけを交換するだけでよいので、施工性、経済性に優れるようになる。
【００１４】
また、支持体に複数の歩行者案内標識がある場合でも、交換の必要のない歩行者案内標識１は、取り外す必要がないので、施工性、経済性に優れるようになる。
【図面の簡単な説明】
【００１５】
【図１】本考案の歩行者案内標識の正面図である。
【図２】本法案の歩行者案内標識の縦断側面図である。
【図３】本法案の歩行者案内標識の、フレーム本体から表面板を取り外した状態の説明用縦断側面図である。
【図４】本法案の歩行者案内標識の、表面板を省略した状態の説明用正面図である。
【図５】本法案の歩行者案内標識の、表面板を省略した状態の説明用正面図である。
【図６】本法案の歩行者案内標識の、前側フレーム部と後側フレーム部とを分解した状態の説明用縦断側面図である。
【図７】本法案の歩行者案内標識の説明用縦断側面図である。
【図８】本法案の歩行者案内標識の、表面板を省略した状態の説明用正面図である。
【図９】本法案の歩行者案内標識の、表面板を省略した状態の説明用正面図である。
【図１０】本法案の歩行者案内標識の説明用縦断側面図である。
【図１１】本法案の歩行者案内標識の、表面板を省略した状態の説明用正面図である。
【図１２】本法案の歩行者案内標識の、表面板を省略した状態の説明用正面図である。
【図１３】本法案の歩行者案内標識の、表面板を省略した状態の説明用正面図である。
【図１４】本法案の歩行者案内標識の、表面板を省略した状態の説明用正面図である。
【図１５】本法案の歩行者案内標識の、表面板を省略した状態の説明用正面図である。
【図１６】本法案の歩行者案内標識の説明用縦断側面図である。
【図１７】従来の歩行者案内標識の正面図である。
【図１８】従来の歩行者案内標識の説明用正面図である。
【考案を実施するための形態】
【００１６】
以下図面によって本考案の実施例を説明する。なお、図４、図５、図８、図９、図１１、図１２、図１３、図１４、図１５は、説明の便宜上、後述する表面板４を省略した図を示す。
【実施例１】
【００１７】
（１．案内標識１の全体構成の説明）
【００１８】
図１〜図５は、本発明の歩行者案内標識１を示し、該案内標識１は、例えば、左右２本の支持柱などの支持体２を貫通して、該支持体２にネジ等の取付具（図示せず）により固定されるフレーム本体３と、該フレーム本体３の前面に、着脱自在に固定される表面板４と、上記フレーム本体３の背面に、上記表面板４の面に対向して、着脱自在に固定される背面板５と、上記フレーム本体３の左側及び右側にそれぞれ、着脱自在にネジ等の取付具により固定される、左枠板６と右枠板７とよりなる。
【００１９】
そして、上記表面板４と、上記背面板５と、上記左枠板６と、上記右枠板７とにより、上記フレーム本体３を内部に設けた箱状に形成される。
【００２０】
なお、上記フレーム本体３の上記表面板４と上記背面板との間の上部の一部又は全部を塞ぐ上面板を設けても良く、また、下部の一部又は全部を塞ぐ下面板を設けても良い。
【００２１】
（１．１．フレーム本体３の説明）
【００２２】
上記フレーム本体３は、例えば、図２及び図３等に示すように、前面に上記表面板４を着脱自在に設ける前側フレーム部３ａと、該前側フレーム部３ａに所望の距離離間して着脱自在に固定した、背面に上記背面板５を着脱自在に設ける後側フレーム部３ｂとにより構成し、上記前側フレーム部３ａと上記後側フレーム部３ｂとは、上記支持体２を挟んだ状態で、互いにネジ等の取付具により固定されるように形成される。
【００２３】
上記前側フレーム部３ａは、例えば、図２及び図３等に示すように、矩形状の前側枠体８ａと、該前側枠体８ａに設けた、上記後側フレーム部３ｂの上述する後側連結部９ｂに着脱自在にネジ等の取付具により固定される前側連結部９ａとよりなり、また、上記後側フレーム部３ｂは、上記前側枠体８ａと同じ形状の後側枠体８ｂと、該後側枠体８ｂに設けた、上記前側連結部９ａに着脱自在にネジ等の取付具により固定される後側連結部９ｂとによりなり、上記前側連結部９ａと上記後側連結部９ｂとが連結固定されることにより、上記前側フレーム部３ａと上記後側フレーム部３ｂとが所望の距離離間するようになる。
【００２４】
なお、上記矩形状の前側枠体８ａ及び後側枠体８ｂは、それぞれ、例えば、図４に示すように、左右方向に延びる同じ長さの長尺状の上辺板部材１０及び下辺板部材１１と、上記上辺部材１０と上記下辺部材１１の左右端を連結する、上下方向に延びる同じ長さの長尺状の左辺板部材１２及び右辺板部材１３とよりなる。
【００２５】
また、後述するように、上記表面板４が上記前側フレーム部３ａに対してスライド自在に装着できるように、図２及び図３に示すように、上記前側枠体８ａの上辺板部材１０の上縁に、例えば、該縁に沿って、下方表側に折れ曲り、左右方向に延びる下辺縁を有する折れ曲り部１４ａを形成すると共に、上記前側枠体８ａの下辺板部材１１の下縁に、該縁部に沿って、上方表側に折れ曲り、左右方向に延びる上辺縁を有する折れ曲り部１５ａを形成し、上記下辺縁と上記上辺縁とを、平行となるように形成する。
【００２６】
同様に、上記背面板５が、上記後側フレーム部３ｂに対してスライド自在に装着できるように、図２〜図４に示すように、上記後側枠体８ｂの上辺板部材１０の上縁に、例えば、該縁に沿って、下方表側に折れ曲り、左右方向に延びる下辺縁を有する折れ曲り部１４ｂを形成すると共に、上記後側枠体８ｂの下辺板部材１１の下縁に、該縁部に沿って、上方表側に折れ曲り、左右方向に延びる上辺縁を有する折れ曲り部１５ｂを形成し、上記下辺縁と上記上辺縁とを、平行となるように形成する。
【００２７】
また、上記折れ曲り部１４ａ、１４ｂ、１５ａ、１５ｂには、それぞれ、例えば、図４に示すように、後述する突片１８、１９が通過できる切欠き部１６、１７を設けてもよい。
【００２８】
（１．２．表面板４及び背面板５の説明）
【００２９】
上記表面板４と上記背面板５とは、それぞれ、例えば、同形状の、上辺と下辺とが平行となる横長状の板体よりなり、互いの面が平行に対向するように、前後に所望の距離離間して、上記フレーム本体３に設けられる。
【００３０】
なお、上記表面板４は、案内表示の内容（文字等の長さ）に応じて、左右方向（横方向）の長さが異なる複数のものがある。
【００３１】
そして、上記表面板４は、例えば、図１に示すように、横長の矩形板状の本体部４ａと、該矩形板本体部４ａの左右両側端にそれぞれ形成された左側側部４ｂ及び右側側部４ｃとよりなり、該左側側部４ｂ及び／又は右側側部４ｃは、例えば、案内表示の内容に応じて左右方向に延びる延長矩形板部と、該延長矩形板部の両端部にそれぞれ形成された、例えば半円形状の板部とよりなる。
【００３２】
なお、上記表面板４は、横長の矩形板状の本体部４ａのみからなる場合もある。そして、該本体部４ａの横方向の長さは、例えば、上記上辺板部材１０及び上記下辺板部材１１の左右方向の長さと略同じに形成される。
【００３３】
また、例えば、上記表面板４の上部背面の例えば左右に、上方に延びる突片１８を設けるなどして、上記表面板４の上端に溝部を形成すると共に、上記表面板４の下部背面の少なくとの左右に、下方に延びる突片１９を設けるなどして、上記表面板４の下端に溝部を形成し、上記表面板４の上端の各溝部に、上記表面板の折り曲がり部１４ａの上辺縁を挿入すると共に、上記表面板部の下端の各溝部に、上記折り曲がり部１５ａの下辺縁が挿入されるようにして、上記表面板４が上記前側フレーム部３に対して左右方向にスライド自在に装着されるようにする。
【００３４】
また、上記背面板５も、例えば、上記表面板４と同一形状に形成され、上記背面板５が上記前側フレーム部３に対して左右方向にスライド自在に装着されるようになる。
【００３５】
なお、図４は、上記フレーム本体３に、上記背面板５が装着された図を示し、この場合には、上記突片１８、１９が、上記溝部に入り込んでおり、上記背面板５は上記フレーム本体３から、取り出すことはできない。しかしながら、図５に示すように、上記背面板５を上記フレーム本体３に対して、上記突部１８、１９が、切り欠き部１６、１７に位置するまで移動させることにより、上記背面板５を上記フレーム本体３から取り外せるようになる。
【００３６】
従って、上記背面板５の全体を、上記フレーム本体３の端部まで移動させることなく、上記フレーム本体３から取り外せるようになる。なお、上記表面板４も同様である。
【００３７】
（１．３．左枠板６及び右枠板７の説明）
【００３８】
上記左枠板６及び上記右枠板７は、それぞれ、例えば、同形の矩形帯状板よりなり、左右に所望の距離離間して、互いに面が平行に対向して設けられる。
【００３９】
そして、上記左面板６と上記右面板７とは、それぞれ、上記表面板４及び上記背面板５の左右の側部、例えば、上記左側側部及び右側側部の外周の形状に沿って、該形状と同一形状に形成され、上記左枠板６及び上記右枠板７を上記フレーム本体３に装着した場合には、上記フレーム本体３に対してスライド自在に挿入した上記表面板４及び背面板５の左側と右側に当接して、上記表面板４及び上記背面板５の左右方向のスライドが規制されて、上記フレーム本体３に固定されるように構成される。
【００４０】
（２．歩行者案間標識１の取付方法の説明）
【００４１】
次に、支持柱などの支持体２に歩行者案内標識１を取り付ける方法の一例を説明する。
【００４２】
図６に示すように、まず、上記支持体２を、分割された前側フレーム部３ａと後側フレーム部３ｂとにより挟持して、図７及び図８に示すように、上記前側フレーム部３ａの前側連結部９ａと後側フレーム部３ｂの後側連結部９ｂとをネジ等の取付具により固定すると共に、上記フレーム本体３と上記支持体２とをネジ等の取付具により固定するようにする。
【００４３】
そして、次に、図９に示すように、例えば、上記左枠体６を上記フレーム本体３の左側にネジ等の取付具により固定し、そして、図１０及び図１１に示すように、表面板４と、背面板５とを、上記フレーム本体３の上記溝部に挿入し、スライドさせて、図１２に示すように、上記左枠板６に当接させる。
【００４４】
そして、図１２及び図１３に示すように、上記右枠体７を上記フレーム本体３の右側に固定することにより、上記表面板４と背面板５の左右方向の移動が規制され、上記表面板４及び背面板５が上記フレーム本体３に固定されるようになる。
【００４５】
なお、上記表面板４は、延長矩形板部を有する左右方向に長い案内標識を装着する場合の例であり、上記背面板５及び上記左枠板６及び上記右枠板７は、上記表面板４の形状に対応して形成されたものである。
【００４６】
（３．歩行者案内標識１の取外方法の説明）  
【００４７】
次に、支持柱などの支持体２に歩行者案内標識１を取り外す方法の一例を説明する。
【００４８】
図４及び図１４に示すように、まず、フレーム本体３から、左枠板６及び右枠板７を取り外す。
【００４９】
そして、図１５及び図１６に示すように、上記表面板４及び背面板５を左右方向いずれかにスライドして、該表面板４及び背面板５の突片１８、１９が、上記切り欠き部１６、１７に位置するようにし、そして、該突片１８、１９を上記切り欠き部１６、１７を通過させることにより、上記フレーム本体３から上記表面板４及び背面板５を取り外すことができるようになる。
【００５０】
なお、上記表面板４は、延長矩形部を有しない左右方向に短い案内標識を装着した場合の例であり、上記背面板５及び上記左枠板６及び上記右枠板７は、上記表面板４の形状に対応して形成されたものである。
【００５１】
そして、新しい他の表面板４を取り付ける場合には、上記案内標識の取付方法で説明した方法で、取り付けるようにし、該新しい他の表面板４の形状に対応する背面板５、左枠板６、右枠板７が装着されるようになる。
【００５２】
本発明によれば、一旦、支持体２にフレーム本体３を固定すれば、後は、表面板４と、これに対応する背面板５と左枠板６と右枠板７だけを交換するだけでよいので、施工性、経済性に優れるようになる。
【００５３】
また、支持体２に複数の歩行者案内標識１がある場合でも、交換の必要のない歩行者案内標識１は、取り外す必要がないので、施工性、経済性に優れるようになる。
【符号の説明】
【００５４】
１      歩行者案内標識
２      支持体
３      フレーム本体
３ａ    前側フレーム部
３ｂ    後側フレーム部
４      表面板
４ａ    本体部
４ｂ    左側側部
４ｃ    右側側部
５      背面板
６      左枠板
７      右枠板
８ａ    前側枠体
８ｂ    後側枠体
９ａ    前側連結部
９ｂ    後側連結部
１０    上辺板部材
１１    下辺板部材
１２    左辺板部材
１３    右辺板部材
１４ａ  折れ曲がり部
１４ｂ  折れ曲がり部
１５ａ  折れ曲がり部
１５ｂ  折れ曲がり部
１６    切り欠き部
１７    切り欠き部
１８    突片
１９    突片
【図１】
0003221591.tif 000003
【図２】
0003221591.tif 000004
【図３】
0003221591.tif 000005
【図４】
0003221591.tif 000006
【図５】
0003221591.tif 000007
【図６】
0003221591.tif 000008
【図７】
0003221591.tif 000009
【図８】
0003221591.tif 000010
【図９】
0003221591.tif 000011
【図１０】
0003221591.tif 000012
【図１１】
0003221591.tif 000013
【図１２】
0003221591.tif 000014
【図１３】
0003221591.tif 000015
【図１４】
0003221591.tif 000016
【図１５】
0003221591.tif 000017
【図１６】
0003221591.tif 000018
【図１７】
0003221591.tif 000019
【図１８】
0003221591.tif 000020